(57)【特許請求の範囲】
【請求項１】
ピストンロッド１２の先端に基端に環状支承面１４ａをもつ軸部１４を形成し、その軸部１４の先端面に開口する取付孔１５を設け、前記軸部１４に基端側から、オーリング１６、座金１７、弾性ピストンリング１１および表面側と裏面側に横断して外径側と内径側に連通する空気路となる表面側溝路１８と裏面側溝路１９と、裏面側の外周面が環状に凹陥する片側開放溝部２０を前記弾性ピストンリング１１のために具えた支え当金２１を夫々嵌合し、この支え当金２１の表面側を前記取付孔１５に螺合固着する取付ネジ２２により締付け、座金１７と支え当金２１との間に前記弾性ピストンリング１１を遊嵌配備してなるワインボトル等のエア式コルク栓抜のピストン杆装置。
【発明の詳細な説明】
【０００１】
【発明が属する技術分野】
この発明は、ワインボトル等のエア式コルク栓抜に装備されるピストン杆装置に関するものである。
【０００２】
【従来の技術】
従来、ワインボトル等のコルク栓抜は、コイル線型、スクリュウネジ型など非常に多くの種類が提案されている。
【０００３】
【発明が解決しようとする課題】
前記、従来のコルク栓にコイル線金を刺し通し、このコイル線金と一体の柄体に力を掛けて引き抜くコイル線型は、引き抜き初期に大きな引き抜き力を必要とする。スクリュウネジ型は、ハンドルを回転させて序々に引き抜くので、大きな引き抜き力を必要としないが、スクリュウネジが太いために、コルク栓を破損させることや、スクリュウネジを途中でネジ込みから引き抜き推力に変換するために機構が複雑である等の欠点があった。そこで、先に、本特許出願人はかかる欠点を改善し、瞬間的な大きな力を全く必要とせず、初期から開栓までの操作力が一定して軽く、非力な人が容易に開栓を行えるワインボトル等のエア式コルク栓抜（特願平１１−２０６３４３号）を提案している。
【０００４】
前記エア式コルク栓抜において、ピストン杆を移動してシリンダー内の空気を押し出すには、ピストン端面の面積に比例し、かつピストンの押し出し速度に関連する押圧力を必要とする。次に、ピストン杆を戻すときには、外部空気をシリンダー内に吸引しなければならない。しかるに、そのエア式コルク栓抜をコンパクトに形成するため、また、操作力を軽減するため等からピストン径を細くする必要がある。しかし、ピストン径を細くすると、その直径内に空気を吸引するピストン弁を設けることが技術的に困難である。そこで、互いに密接するシリンダー内径面とピストン外径面との間から空気を吸引することになり、ピストン杆の戻し作動を軽く、円滑に行えない欠点が発生するものである。この欠点は、ピストン杆をモーター等の原動機構に関連して駆動する場合も同様の動力損を生じて欠点となるものである。
【０００５】
この発明は、かかるエア式コルク栓抜の中心機構となるピストン杆装置の改良を目的になされたものである。
【０００６】
【課題を解決するための手段】
ピストンロッドの先端に基端に環状支承面をもつ軸部を形成し、その軸部の先端面に開口する取付孔を設け、前記軸部に基端側から、オーリング、座金、弾性ピストンリングおよび表面側と裏面側に横断して外径側と内径側に連通する空気路となる表面側溝路と裏面側溝路と、裏面側の外周面が環状に凹陥する片側開放溝部を前記弾性ピストンリングのために具えた支え当金を夫々嵌合し、この支え当金の表面側を前記取付孔に螺合固着する取付ネジにより締付け、座金と支え当金との間に前記弾性ピストンリングを遊嵌配備してなるワインボトル等のエア式コルク栓抜のピストン杆装置にある。
【０００７】
【発明の実施の形態】
ワインボトル２のコルク栓３を上下に貫通して刺し通すエアー給送針４を外筒５の外筒先端部５ａに内方と連通配備し、その外筒５の外筒内径面５ｂと所要に離隔し、その外筒内径面５ｂおよび外筒先端部内面５ａ１と離隔してエアー溜６を構成するエアー給送シリンダー７を先端部７ａに逆止弁８を中途に配設した通気孔９を開通して外筒５内に配備し、このエアー給送シリンダー７の内方に、外端に柄部１０を、反対の下端に弾性ピストンリング１１を具えたピストンロッド１２を嵌装配備してなるワインボトル等のエア式コルク栓抜１において、前記ピストンロッド１２の先端に基端に環状支承面１４ａをもつ軸部１４を形成し、その軸部１４の先端面に開口する取付孔１５を設け、前記軸部に基端側から、オーリング１６、座金１７、弾性ピストンリング１２および表面側と裏面側に横断して外径側と内径側に連通する空気路となる表面側溝路１８と裏面側溝路１９と、裏面側の外周面が環状に凹陥する片側開放溝部２０を弾性ピストンリング１１のために具えた支え当金２１を夫々嵌合し、この支え当金２１の表面側を前記取付孔１５に螺合固着する取付ネジ２２により締付け、座金１７と支え当金２１との間に弾性ピストンリング１２を遊嵌配備してなるワインボトル等のエア式コルク栓抜のピストン杆装置。
【０００８】
【実施例】
以下、この発明のワインボトル等のエア式コルク栓抜のピストン杆装置を図面に示す実施例のワインボトル等のエア式コルク栓抜１により説明すると、ワインボトル２のコルク栓３を上下に貫通して刺し通すエアー給送針４を外筒５の外筒先端部５ａに内方と連通配備し、その外筒５の外筒内径面５ｂと所要に離隔し、その外筒内径面５ｂおよび外筒先端部内面５ａ１と、離隔してエアー溜６を構成するエアー給送シリンダー７を先端部７ａに逆止弁８を中途に配設した通気孔９を開通して外筒５内に配備し、このエアー給送シリンダー７の内方に、外端に柄部１０を、反対の下端に下降シール部材として、例えば、弾性ピストンリング１１を具えたピストンロッド１２を嵌装配備し、外筒５の先端に、外筒外周面５ｃにスライド自在に連結する支え筒１３を装備してなるものである。
【０００９】
前記ピストンロッド１２の先端の所要長さを、ピストンロッド１２の外径より細い外径の軸部１４に形成すると共に、その軸部１４の基端におけるピストンロッド１２の外径と軸部１４の外径との差を環状支承面１４ａに形成し、ピストンロッド１２の先端部には、軸部１４の先端面に開口する取付孔１５を設け、ピストンロッド１２の軸部１４に基端側から、オーリング１６、座金１７、弾性ピストンリング１１および表面側と裏面側に横断して外径側と内径側に連通する空気路となる表面側溝路１８と裏面側溝路１９と、裏面側の外周面が環状に凹陥する片側開放溝部２０を弾性ピストンリング１１のために具えた支え当金２１を夫々嵌合し、支え当金２１の表面側を前記取付孔１５に螺合固着する取付ネジ２２により締付け、座金１７と支え当金２１との間に弾性ピストンリング１１を遊嵌配備してなるものである。
【００１０】
弾性ピストンリング１１は、合成ゴム材で構成し、その先端外周１１ｃは断面三角形に拡径し、先端面に環状溝１１ｄの肉抜きをなしている。
【００１１】
この発明のピストン杆装置が装備されるワインボトル等のエア式コルク栓抜１は、上記のように構成されるから、図１に示すように、ワインボトル２の口部２ａに支え筒１３を嵌合して全体を支持し、次に、外筒５を押し下げて先端のエアー給送針４をコルク栓３に刺し通し、エアー給送針４の先端の空気孔４ａをワインボトル２内に配置する。そこで、他方の手を柄部１０に掛けてピストンロッド１２を上下に往復動させると、そのピストンロッド１２が下降するとき、ピストンロッド１２の先端は、下降シール部材として、弾性ピストンリング１１で気密にシールされているので、エアー給送シリンダー７内の空気を先端の通気孔９からエアー溜６に送出する。そして、逆止弁８によりエアー給送シリンダー７に戻ることはなく、ピストンロッド１２の下降作動により圧縮して送出される空気はエアー溜６と連通するエアー給送針４を通じてワインボトル２内に給送される。ピストンロッド１２が上昇するとき、エアー給送シリンダー７が真空になるので、弾性ピストンリング１１が湾曲して外部空気をエアー給送シリンダー７内に吸引し、ピストンロッド１２を抵抗なく上昇できる。ワインボトル２内で高められ空気は、コルク栓３を外方に押し出すものである。この時、支え筒１３は、ワインボトル２と一体に支持しているから、支え筒１３内をコルク栓３と外筒５とが一体になって上方にスライドして外れ、外れた後も支え筒１３により支持されるのである。
【００１２】
そしてピストン杆装置２３は前述のようになるから、座金１７の裏面はオーリング１６に圧接しているので、座金１７の内径面１７ａは気密に構成され、弾性ピストンリング１１は、座金１７に底面１１ａを接し、内径面１１ｂを支え当金２１の片側開放溝部２０に接して位置決めされるので、ピストンロッド１２を押し下げて弾性ピストンリング１１に空気圧が掛かると、その底面１１ａが座金１７に接して気密になり、また、ピストンロッド１２を上昇させて弾性ピストンリング１１が引上げられて支え当金２１に当たると、弾性ピストンリング１１の底面１１ａが座金１７から離れて弾性ピストンリング１１の底面１１ａと座金１７との気密がなくなり、支え当金２１の裏面側溝路１９の外径側は、弾性ピストンリング１１により区画されるエアー給送シリンダー７の基端側室７ｂに通じて外気に連通し、反対に裏面側溝路１９の内径側は支え当金２１の内径面２１ａに通じて表面側溝路１８と連通し、弾性ピストンリング１１により区画されるエアー給送シリンダー７の先端側室７ａ１に連通する。そこで、外気とエアー給送シリンダー７の先端側室７ａ１に空気路が連通する。そこで、ピストンロッド１２を押し下げるときには、弾性ピストンリング１１が空気路は遮断されて先端側室７ａ１内の空気を押し出し、反対にピストンロッド１２を引上げるときには、外気を先端側室７ａ１内に吸引できるものである。
【００１３】
弾性ピストンリング１１は、合成ゴム材で構成し、その先端外周１１ｃは断面三角形に拡径し、先端面に環状溝１１ｄの肉抜きをなしているから、ピストンロッド１２を押し下げるときには、その先端外周１１ｃ側が外側に外径を拡長してシリンダーの内径面に圧着して空気漏れをなくし、反対にピストンロッド１２を引上げるときには、その先端外周１１ｃ側が内側に外径を縮小してシリンダーの内径面との間の空気を通過させると共にシリンダーの内径面と摩擦を軽減するものである。
【００１４】
【発明の効果】
この発明のワインボトル等のエア式コルク栓抜のピストン杆装置は、以上のようになるから、構成が簡単で、優れた押圧気密性と引抜き気密開放性をもつものである。
【図面の簡単な説明】
【図１】図面は、この発明のワインボトル等のエア式コルク栓抜のピストン杆装置を装備したワインボトル等のエア式コルク栓抜をワインボトルに連接して栓抜き作動状態を示す縦断面図である。
【図２】同じく、この発明のワインボトル等のエア式コルク栓抜のピストン杆装置の要部を拡大して示す一部切欠き断面部分図である。
【図３】同じく、この発明のワインボトル等のエア式コルク栓抜のピストン杆装置の分解斜視図である。
【図４】同じく、この発明のワインボトル等のエア式コルク栓抜のピストン杆装置を構成する支え当金単体の後面側からの斜視図である。
【符号の説明】
１  ワインボトル等のエア式コルク栓抜
２  ワインボトル
２ａ  口部
３  コルク栓
４  エアー給送針
４ａ  空気孔
５  外筒
５ａ  外筒先端部
５ａ１  外筒先端部内面
５ｂ  外筒内径面
５ｃ  外筒外周面
６  エアー溜
７  エアー給送シリンダー
７ａ  先端部
７ａ１  先端側室
７ｂ    基端側室
８  逆止弁
９  通気孔
１０  柄部
１１  弾性ピストンリング
１１ａ  底面
１１ｂ  内径面
１１ｃ  先端外周
１１ｄ  環状溝
１２  ピストンロッド
１３  支え筒
１４  軸部
１４ａ  環状支承面
１５  取付孔
１６  オーリング
１７  座金
１７ａ  内径面
１８  表面側溝路
１９  裏面側溝路
２０  片側開放溝部
２１  支え当金
２１ａ  内径面
２２  取付ネジ
２３  ピストン杆装置
【図１】
0004143989.tif 000002
【図２】
0004143989.tif 000003
【図３】
0004143989.tif 000004
【図４】
0004143989.tif 000005